(57)【要約】【課題】筆跡情報を生成する筆跡情報生成装置での動作状態を小さな面積領域内で効率的に表示する。【解決手段】符号画像が印刷された媒体にユーザの筆記操作に対応した筆跡を形成するペンチップ６４が配置されたペン本体部６０Ａと、ペン本体部６０Ａに着脱自在に装着され、ペンチップ６４を保護するキャップ部６０Ｂとで構成され、ペン本体部６０Ａに筆跡情報を生成する動作状態と特定情報を参照するための参照情報を生成する動作状態とを含む当該装置の動作状態を表示する第１表示部ＤＳＰ１を配置し、保護カバー部に当該装置の動作状態を表示する第２表示部ＤＳＰ２を配置して、キャップ部６０Ｂのペン本体部６０Ａへの装着位置に応じて、動作制御部が動作状態に関する第１表示部ＤＳＰ１および第２表示部ＤＳＰ２での表示設定を制御する。【選択図】図６
2009237769.tif 000002
【特許請求の範囲】
【請求項１】
符号画像が印刷された媒体にユーザの筆記操作に対応した筆跡を形成する筆記部と、
前記筆記部が配置された装置本体部と、
前記装置本体部に着脱自在に装着され、前記筆記部を保護する保護カバー部と、
前記装置本体部に配置され、前記筆記部により前記筆跡が形成された前記媒体上の位置の前記符号画像に基づき前記ユーザの筆記操作に関連した情報である筆跡情報を生成する動作状態と、当該符号画像に基づき特定情報を参照するための参照情報を生成する動作状態とを含む当該装置の動作状態を表示する第１の表示部と、
前記保護カバー部に配置され、前記動作状態を表示する第２の表示部と、
前記保護カバー部の前記装置本体部への装着位置に応じて、前記動作状態に関する前記第１の表示部および前記第２の表示部での表示設定を制御する表示制御部と
を備えたことを特徴とする筆跡情報生成装置。
【請求項２】
前記表示制御部は、前記保護カバー部が前記装置本体部の前記筆記部が配置された側とは反対側に装着された場合には前記動作状態を前記第１の表示部および前記第２の表示部の双方を用いて表示するように設定し、当該保護カバー部が当該装置本体部の当該筆記部が配置された側に装着された場合には当該動作状態を当該第１の表示部を用いて表示するように設定する前記制御を行うことを特徴とする請求項１記載の筆跡情報生成装置。
【請求項３】
前記表示制御部は、前記保護カバー部が前記装置本体部の前記筆記部が配置された側とは反対側に装着されたことを検知することで、前記第１の表示部および前記第２の表示部の双方を用いて前記動作状態を表示するように設定する前記制御を行うことを特徴とする請求項２記載の筆跡情報生成装置。
【請求項４】
前記表示制御部は、前記筆跡情報を生成する動作状態および前記参照情報を生成する動作状態の何れかが設定され、かつ、前記保護カバー部が前記装置本体部の前記筆記部が配置された側とは反対側に装着されたことを検知しない場合には、前記第１の表示部にて警告表示を行うように設定することを特徴とする請求項１記載の筆跡情報生成装置。
【請求項５】
前記保護カバー部が前記装置本体部の前記筆記部が配置された側とは反対側に装着された場合に、前記筆跡情報を生成する動作状態および前記参照情報を生成する動作状態の何れかを設定する動作制御部をさらに備えたことを特徴とする請求項１記載の筆跡情報生成装置。
【請求項６】
電子文書に基づく文書画像と符号画像とが印刷された媒体へのユーザの筆記操作に関連した情報である筆跡情報を生成する筆跡情報生成装置と、
前記筆跡情報生成装置にて生成された前記筆跡情報を取得し、取得した当該筆跡情報を前記媒体または当該媒体に印刷された前記電子文書に関連付けて管理する筆跡情報管理装置とを備え、
前記筆跡情報生成装置は、
前記媒体にユーザの筆記操作に対応した筆跡を形成する筆記部と、
前記筆記部が配置された装置本体部と、
前記装置本体部に着脱自在に装着され、前記筆記部を保護する保護カバー部と、
前記装置本体部に配置され、前記筆記部により前記筆跡が形成された前記媒体上の位置の前記符号画像に基づき前記ユーザの筆記操作に関連した情報である筆跡情報を生成する動作状態と、当該符号画像に基づき特定情報を参照するための参照情報を生成する動作状態とを含む当該筆跡情報生成装置の動作状態を表示する第１の表示部と、
前記保護カバー部に配置され、前記動作状態を表示する第２の表示部と、
前記保護カバー部の前記装置本体部への装着位置に応じて、前記動作状態に関する前記第１の表示部および前記第２の表示部での表示設定を制御する表示制御部と
を備えたことを特徴とする筆跡情報管理システム。
【請求項７】
前記筆跡情報生成装置の前記表示制御部は、前記保護カバー部が前記装置本体部の前記筆記部が配置された側とは反対側に装着された場合には前記動作状態を前記第１の表示部および前記第２の表示部の双方を用いて表示するように設定し、当該保護カバー部が当該装置本体部の当該筆記部が配置された側に装着された場合には当該動作状態を当該第１の表示部を用いて表示するように設定する前記制御を行うことを特徴とする請求項６記載の筆跡情報管理システム。
【請求項８】
前記筆跡情報生成装置の前記表示制御部は、前記保護カバー部が前記装置本体部の前記筆記部が配置された側とは反対側に装着されたことを検知することで、前記第１の表示部および前記第２の表示部の双方を用いて前記動作状態を表示するように設定する前記制御を行うことを特徴とする請求項７記載の筆跡情報管理システム。
【請求項９】
前記筆跡情報生成装置の前記表示制御部は、前記筆跡情報を生成する動作状態および前記参照情報を生成する動作状態の何れかが設定され、かつ、前記保護カバー部が前記装置本体部の前記筆記部が配置された側とは反対側に装着されたことを検知しない場合には、前記第１の表示部にて警告表示を行うことを特徴とする請求項６記載の筆跡情報管理システム。
【請求項１０】
前記筆跡情報生成装置は、前記保護カバー部が前記装置本体部の前記筆記部が配置された側とは反対側に装着された場合に、前記筆跡情報を生成する動作状態および前記参照情報を生成する動作状態の何れかを設定する動作制御部をさらに備えたことを特徴とする請求項６記載の筆跡情報管理システム。
【発明の詳細な説明】
【技術分野】
【０００１】
本発明は、筆跡情報生成装置および筆跡情報管理システムに関する。
【背景技術】
【０００２】
近年、用紙等の媒体上に筆記された文字や図形等が電子データに変換され、それがパソコンや携帯電話等に転送されて、筆記内容が記憶等される技術が注目されている。
例えば特許文献１に記載された技術では、微細なドットによる様々なパターンの符号画像が印刷された媒体と、例えば撮像素子が内蔵されたペンデバイスとを用いて、ペンデバイスにより筆記された文字や図形等の位置の符号画像を撮像素子に読み込む。それにより、文字や図形等の位置座標を特定して、筆記された文字や図形等からなる電子文書の生成や、所定の電子文書への文字や図形等の付加等を行う。
また、例えば特許文献２に記載された技術では、ペンデバイスにより媒体上の所定の領域に印刷された符号画像を読み取ることで、例えば、コンピュータにウェブブラウザプログラムを開くように指示するコマンドを作成し、所定のウェブアドレス等にリンクさせる。
【０００３】
【特許文献１】特開２００４−９４９０７号公報
【特許文献２】特表２００３−５２３５７２号公報
【発明の開示】
【発明が解決しようとする課題】
【０００４】
ここで一般に、媒体上に形成された筆跡を読み取って筆跡情報を生成するペン型の筆跡情報生成装置では、筆記用のペン軸を保護するための保護キャップが備えられる。そして、筆記等の操作時には、保護キャップは筆跡情報生成装置本体のペン軸側から取り外され、通常は、ペン軸側とは反対の端部側に装着された状態で使用される。その場合には、筆跡情報生成装置には筆記操作等の様々な動作状態が設定される。その一方で、保護キャップがペン軸側に装着された状態では筆記操作等は行われず、筆跡情報生成装置に設定される動作状態の数は少ない。そのため、外表面積の少ないペン型の筆跡情報生成装置において動作状態のすべてを表示する表示部を設けるとすると、動作状態の数の少ない設定状態では、表示部の占める領域が無駄になるという問題があった。
本発明は、筆跡情報を生成する筆跡情報生成装置での動作状態を小さな面積領域内で効率的に表示することを目的とする。
【課題を解決するための手段】
【０００５】
請求項１に記載の発明は、符号画像が印刷された媒体にユーザの筆記操作に対応した筆跡を形成する筆記部と、前記筆記部が配置された装置本体部と、前記装置本体部に着脱自在に装着され、前記筆記部を保護する保護カバー部と、前記装置本体部に配置され、前記筆記部により前記筆跡が形成された前記媒体上の位置の前記符号画像に基づき前記ユーザの筆記操作に関連した情報である筆跡情報を生成する動作状態と、当該符号画像に基づき特定情報を参照するための参照情報を生成する動作状態とを含む当該装置の動作状態を表示する第１の表示部と、前記保護カバー部に配置され、前記動作状態を表示する第２の表示部と、前記保護カバー部の前記装置本体部への装着位置に応じて、前記動作状態に関する前記第１の表示部および前記第２の表示部での表示設定を制御する表示制御部とを備えたことを特徴とする筆跡情報生成装置である。
【０００６】
請求項２に記載の発明は、前記表示制御部は、前記保護カバー部が前記装置本体部の前記筆記部が配置された側とは反対側に装着された場合には前記動作状態を前記第１の表示部および前記第２の表示部の双方を用いて表示するように設定し、当該保護カバー部が当該装置本体部の当該筆記部が配置された側に装着された場合には当該動作状態を当該第１の表示部を用いて表示するように設定する前記制御を行うことを特徴とする請求項１記載の筆跡情報生成装置である。
請求項３に記載の発明は、前記表示制御部は、前記保護カバー部が前記装置本体部の前記筆記部が配置された側とは反対側に装着されたことを検知することで、前記第１の表示部および前記第２の表示部の双方を用いて前記動作状態を表示するように設定する前記制御を行うことを特徴とする請求項２記載の筆跡情報生成装置である。
請求項４に記載の発明は、前記表示制御部は、前記筆跡情報を生成する動作状態および前記参照情報を生成する動作状態の何れかが設定され、かつ、前記保護カバー部が前記装置本体部の前記筆記部が配置された側とは反対側に装着されたことを検知しない場合には、前記第１の表示部にて警告表示を行うように設定することを特徴とする請求項１記載の筆跡情報生成装置である。
請求項５に記載の発明は、前記保護カバー部が前記装置本体部の前記筆記部が配置された側とは反対側に装着された場合に、前記筆跡情報を生成する動作状態および前記参照情報を生成する動作状態の何れかを設定する動作制御部をさらに備えたことを特徴とする請求項１記載の筆跡情報生成装置である。
【０００７】
請求項６に記載の発明は、電子文書に基づく文書画像と符号画像とが印刷された媒体へのユーザの筆記操作に関連した情報である筆跡情報を生成する筆跡情報生成装置と、前記筆跡情報生成装置にて生成された前記筆跡情報を取得し、取得した当該筆跡情報を前記媒体または当該媒体に印刷された前記電子文書に関連付けて管理する筆跡情報管理装置とを備え、前記筆跡情報生成装置は、前記媒体にユーザの筆記操作に対応した筆跡を形成する筆記部と、前記筆記部が配置された装置本体部と、前記装置本体部に着脱自在に装着され、前記筆記部を保護する保護カバー部と、前記装置本体部に配置され、前記筆記部により前記筆跡が形成された前記媒体上の位置の前記符号画像に基づき前記ユーザの筆記操作に関連した情報である筆跡情報を生成する動作状態と、当該符号画像に基づき特定情報を参照するための参照情報を生成する動作状態とを含む当該筆跡情報生成装置の動作状態を表示する第１の表示部と、前記保護カバー部に配置され、前記動作状態を表示する第２の表示部と、前記保護カバー部の前記装置本体部への装着位置に応じて、前記動作状態に関する前記第１の表示部および前記第２の表示部での表示設定を制御する表示制御部とを備えたことを特徴とする筆跡情報管理システムである。
【０００８】
請求項７に記載の発明は、前記筆跡情報生成装置の前記表示制御部は、前記保護カバー部が前記装置本体部の前記筆記部が配置された側とは反対側に装着された場合には前記動作状態を前記第１の表示部および前記第２の表示部の双方を用いて表示するように設定し、当該保護カバー部が当該装置本体部の当該筆記部が配置された側に装着された場合には当該動作状態を当該第１の表示部を用いて表示するように設定する前記制御を行うことを特徴とする請求項６記載の筆跡情報管理システムである。
請求項８に記載の発明は、前記筆跡情報生成装置の前記表示制御部は、前記保護カバー部が前記装置本体部の前記筆記部が配置された側とは反対側に装着されたことを検知することで、前記第１の表示部および前記第２の表示部の双方を用いて前記動作状態を表示するように設定する前記制御を行うことを特徴とする請求項７記載の筆跡情報管理システムである。
請求項９に記載の発明は、前記筆跡情報生成装置の前記表示制御部は、前記筆跡情報を生成する動作状態および前記参照情報を生成する動作状態の何れかが設定され、かつ、前記保護カバー部が前記装置本体部の前記筆記部が配置された側とは反対側に装着されたことを検知しない場合には、前記第１の表示部にて警告表示を行うことを特徴とする請求項６記載の筆跡情報管理システムである。
請求項１０に記載の発明は、前記筆跡情報生成装置は、前記保護カバー部が前記装置本体部の前記筆記部が配置された側とは反対側に装着された場合に、前記筆跡情報を生成する動作状態および前記参照情報を生成する動作状態の何れかを設定する動作制御部をさらに備えたことを特徴とする請求項６記載の筆跡情報管理システムである。
【発明の効果】
【０００９】
本発明の請求項１によれば、本発明を採用しない場合に比べて、筆跡情報を生成する筆跡情報生成装置での動作状態を小さな面積領域内で効率的に表示することができる。
本発明の請求項２によれば、保護カバー部の装置本体部への装着位置に応じて動作状態の種類が変わる筆跡情報生成装置において、設定される動作状態の種類の数に対応させた表示設定を行うことができる。
本発明の請求項３によれば、保護カバー部が筆記部が配置された側とは反対側に装着されることにより、保護カバー部が筆記部が配置された側とは反対側に装着された設定での動作状態の種類に対応させた表示設定を自動的に行うことができる。
本発明の請求項４によれば、ユーザに保護カバー部を装置本体部の筆記部が配置された側とは反対側に装着することを促すことができる。
本発明の請求項５によれば、筆跡情報を生成する動作状態および参照情報を生成する動作状態の何れかが設定された場合には、本発明を採用しない場合に比べて、第１の表示部および第２の表示部の双方を用いたより多くの動作状態の種類を表示することができる。
【００１０】
本発明の請求項６によれば、筆跡情報管理システムに用いられる筆跡情報を生成する筆跡情報生成装置において、本発明を採用しない場合に比べて、筆跡情報生成装置での動作状態を小さな面積領域内で効率的に表示することができる。
本発明の請求項７によれば、保護カバー部の装置本体部への装着位置に応じて動作状態の種類が変わる筆跡情報生成装置において、設定される動作状態の種類の数に対応させた表示設定を行うことができる。
本発明の請求項８によれば、保護カバー部が筆記部が配置された側とは反対側に装着されることにより、保護カバー部が筆記部が配置された側とは反対側に装着された設定での動作状態の種類に対応させた表示設定を自動的に行うことができる。
本発明の請求項９によれば、ユーザに保護カバー部を装置本体部の筆記部が配置された側とは反対側に装着することを促すことができる。
本発明の請求項１０によれば、筆跡情報を生成する動作状態および参照情報を生成する動作状態の何れかが設定された場合には、本発明を採用しない場合に比べて、第１の表示部および第２の表示部の双方を用いたより多くの動作状態の種類を表示することができる。
【発明を実施するための最良の形態】
【００１１】
以下、添付図面を参照して、本発明を実施するための最良の形態(以下、「実施の形態」という)について詳細に説明する。
まず、本実施の形態における筆跡情報管理システムの全体構成について説明する。
図１は、本実施の形態の筆跡情報管理システムの構成の一例を示した図である。図１に示したように、この筆跡情報管理システムは、端末装置１０と、筆跡情報管理装置の一例としての文書サーバ２０と、筆跡情報管理装置の一例としての識別情報サーバ３０と、画像形成装置４０と、情報送信装置の一例としての端末装置５０とがネットワーク８０に接続されることにより構成されている。また、端末装置５０には、筆跡情報生成装置の一例としてのデジタルペン６０が通信可能に接続されている。
【００１２】
本実施の形態の筆跡情報管理システムでは、端末装置１０から電子文書の印刷要求が行われると、文書サーバ２０は端末装置１０からの印刷要求を受け取り、画像形成装置４０に対して印刷要求の対象となった電子文書の印刷指示を行う。それにより、画像形成装置４０は、この電子文書の文書画像を紙等の媒体に印刷するが、その際に、画像形成装置４０は文書画像に加えて符号画像を媒体上に印刷する。
ここでの符号画像とは、識別情報および位置情報を符号化して得られる識別符号および位置符号を画像化したものである。識別情報とは、媒体を一意に特定するための情報であり、本実施の形態では識別情報サーバ３０が発行する。また、位置情報は、媒体上の座標位置を特定するための情報であり、本実施の形態では文書サーバ２０が生成する。
そして、文書画像と符号画像とが印刷された媒体に対し、ユーザがデジタルペン６０を用いて筆記(手書き)すると、デジタルペン６０は符号画像に含まれる位置情報に基づいて手書き情報(筆跡情報)を生成する。またそれと同時に、デジタルペン６０は符号画像に含まれる識別情報を認識する。そして、認識された識別情報と筆跡情報とは、端末装置５０を介して文書サーバ２０に送られる。識別情報と筆跡情報とを受け取った文書サーバ２０は、識別情報に基づいて媒体に印刷された電子文書を特定し、この特定された電子文書と筆跡情報とを関連付けて記憶する。
また、デジタルペン６０には、筆跡情報を生成する代わりに、符号画像に含まれる位置情報と識別情報とを所定情報にリンクするための参照情報とする機能が設定されている。例えば、端末装置５０に対して所定のウェブブラウザプログラムを開いて所定のウェブアドレス等にリンクさせるコマンドを生成させるための情報として位置情報および識別情報を用いる。その場合には、端末装置５０は、位置情報と識別情報とに基づき所定のウェブアドレスにリンクし、所定情報を取得する。
【００１３】
なお、本明細書では、媒体に記録する画像の元となる電子データを「電子文書」と表記するが、これは、テキストを含む「文書」を電子化したデータのみを意味するものではない。例えば、絵、写真、図形等の画像データ(ラスタデータかベクターデータかによらない)、データベース管理ソフトウェアや表計算ソフトウェアで記録されるデータ、その他の印刷可能な電子データも含めて「電子文書」としている。
また、本明細書において、「媒体」は、画像を印刷可能な媒体であれば、その材質は問わない。代表例は紙であるが、ＯＨＰシート等といったプラスチックシートや金属板等であっても構わない。
さらに、本明細書では、電子文書、媒体、さらにはデジタルペン６０やユーザについて、それぞれを一意に識別するための識別情報を用いて処理を行うが、単に「識別情報」という場合には、媒体に関する識別情報を意味するものとする。すなわち、本実施の形態では、媒体に固有に付与される媒体識別情報の一例として、この識別情報を用いる。
【００１４】
続いて、本実施の形態の筆跡情報管理システムを構成する各構成要素について詳細に説明する。
端末装置１０は、文書サーバ２０に対して電子文書の印刷を要求するコンピュータ装置である。ここで、端末装置１０としては、例えば、パーソナルコンピュータやワークステーション、その他のコンピュータが用いられる。
文書サーバ２０は、筆跡情報管理装置の一例であって、電子文書を記憶し管理するコンピュータ装置である。また、端末装置１０から電子文書の印刷要求があると、電子文書の画像と、識別情報および位置情報を表す符号画像とを生成し、これらを合成した合成画像を媒体に印刷する印刷命令を画像形成装置４０に対して出力する。ここで、文書サーバ２０としては、例えば、パーソナルコンピュータやワークステーション、その他のコンピュータが用いられる。
【００１５】
識別情報サーバ３０は、筆跡情報管理装置の一例であって、媒体に付与する識別情報を発行するコンピュータ装置である。そして、発行した識別情報を、その識別情報が付与される媒体に印刷される電子文書と関連付けて記憶する。ここで、識別情報サーバ３０としては、例えば、パーソナルコンピュータやワークステーション、その他のコンピュータが用いられる。
画像形成装置４０は、媒体に画像を印刷し、印刷文書として出力する装置である。この画像形成装置４０は、単体のプリンタや印刷機であってもよいし、他にスキャナや通信の機能を備えた所謂「複合機」であってもよい。ここで、画像形成装置４０における画像形成方式としては、例えば、電子写真方式を用いるとよいが、その他の方式を用いてもよい。
【００１６】
端末装置５０は、情報送信装置(外部装置)の一例であって、印刷文書に対する筆記を電子化した情報(以下、「筆跡情報」という)を、印刷文書に記録された画像の元となる電子文書に反映させるために識別情報サーバ３０に送信するコンピュータ装置である。また、筆跡情報を反映する対象の電子文書をディスプレイ(不図示)に表示し、その上に筆跡情報を重ねて表示するようにしてもよい。ここで、端末装置５０としては、例えば、パーソナルコンピュータやワークステーション、その他のコンピュータが用いられる。
また、端末装置５０は、デジタルペン６０から送られた位置情報と識別情報とに基づいて所定情報にリンクするコンピュータ装置でもある。端末装置５０は、例えば、位置情報および識別情報から所定のウェブブラウザプログラムを開いて所定のウェブアドレス等にリンクさせるコマンドを生成する。そして、位置情報と識別情報とに基づき所定のウェブアドレスにリンクし、所定情報を取得する。
端末装置５０は、デジタルペン６０と例えばＢｌｕｅｔｏｏｔｈ(登録商標)、Ｚｉｇｂｅｅ、ＵＷＢ(Ultra Wide Band)、赤外線通信機能等の無線方式で接続され、デジタルペン６０との間で通信を行う。そして、デジタルペン６０から識別情報、および筆跡情報または位置情報を取得する。ここで、デジタルペン６０と端末装置５０との間の通信の方式としては、ＵＳＢ(Universal Serial Bus)ケーブル等の有線方式を用いてもよい。
【００１７】
デジタルペン６０は、筆跡情報生成装置の一例であり、印刷文書上に文字または図形を筆記するために用いられるペンデバイスである。また、媒体に印刷された符号画像を読み取る撮像素子を備える。そして、撮像素子で読み取った符号画像から取得される情報の一例である位置情報を検出する。さらには、位置情報から筆記した文字または図形をイメージデータ化した筆跡情報をこの位置情報に基づいて生成し記憶する。また、撮像素子で読み取った符号画像から取得される情報の一例である識別情報を検出し記憶する。
【００１８】
引き続いて、筆跡情報管理システムを構成する各構成要素の詳細を説明する。
まず、文書サーバ２０の構成について説明する。
図２は、文書サーバ２０の機能構成の一例を示したブロック図である。図２に示したように、文書サーバ２０は、受信部２１と、識別情報取得部２２と、電子文書管理部２３と、筆跡情報管理部２４と、文書/筆跡情報記憶部２５とを備える。また、識別符号生成部２７ａと、位置符号生成部２７ｂと、符号配置部２７ｃと、パターン画像記憶部２７ｄと、符号画像生成部２７ｅとを備える。さらに、文書画像生成部２６と、画像合成部２８と、送信部２９とを備える。
【００１９】
受信部２１は、端末装置１０から印刷要求を受信する。ここで、印刷要求には、電子文書に加えて、印刷対象となる電子文書の識別情報(以下、「文書ＩＤ」という)と、印刷される媒体上での電子文書のレイアウトを定めるための各種設定(以下、「印刷設定」という)とが含まれる。文書ＩＤは、端末装置１０にて電子文書毎に付与されるが、文書サーバ２０にて付与してもよい。また、受信部２１は、印刷文書が印刷される媒体に固有に付与される識別情報を識別情報サーバ３０から受信する。さらに、印刷文書に対する筆記が行われた際には、識別情報サーバ３０から、印刷文書に埋め込まれた識別情報と、印刷文書に対する筆記の内容(筆記画像)を電子化した筆跡情報とを受信する。
識別情報取得部２２は、受信部２１から文書ＩＤおよび印刷設定を取得し、これを送信部２９に渡して識別情報の発行要求の送信を指示し、これを文書画像生成部２６に渡して文書画像の生成を指示する。また、受信部２１から媒体の識別情報を取得し、これを識別符号生成部２７ａに渡して識別符号の生成を指示する。
【００２０】
電子文書管理部２３は、受信部２１が受信した識別情報と電子文書とを取得し、文書ＩＤに基づき両者を対応付けて文書/筆跡情報記憶部２５に登録する。また、文書/筆跡情報記憶部２５に記憶された電子文書についての、印刷設定に従って媒体上に印刷された状態を反映した新たな電子文書(第２の電子文書)を生成し、生成された第２の電子文書を文書/筆跡情報記憶部２５に記憶する。さらに、電子文書の表示や印刷が指示された際には、対応する識別情報と電子文書とを、文書/筆跡情報記憶部２５から取り出す。
【００２１】
筆跡情報管理部２４は、受信部２１が受信した識別情報と筆跡情報とを取得し、識別情報に基づき筆跡情報を電子文書に対応付けて文書/筆跡情報記憶部２５に登録する。また、筆跡情報の表示が指示された際には、対応する識別情報と筆跡情報とを、文書/筆跡情報記憶部２５から取り出す。
文書/筆跡情報記憶部２５は、電子文書管理部２３によって管理される電子文書と、筆跡情報管理部２４によって管理される筆跡情報とを記憶する。ここで、本実施の形態では、識別情報と電子文書と筆跡情報とを関連付けて記憶する記憶手段の一例として、文書/筆跡情報記憶部２５を設けている。
【００２２】
識別符号生成部２７ａは、媒体を特定する識別情報を符号化して識別符号を生成する。
位置符号生成部２７ｂは、媒体上の座標位置を示す位置情報を符号化して位置符号を生成する。
符号配置部２７ｃは、識別符号生成部２７ａにて生成された識別符号や、位置符号生成部２７ｂにて生成された位置符号等を所定のレイアウト(後段の図３参照)に従って２次元平面に配置し２次元の符号配列を生成する。
パターン画像記憶部２７ｄは、符号配列に格納される各符号の符号値に対応するパターン画像を記憶する。
符号画像生成部２７ｅは、符号配置部２７ｃが生成した２次元の符号配列を参照し、各符号値に対応したパターン画像を選択して符号画像を生成する。
【００２３】
文書画像生成部２６は、識別情報取得部２２から文書ＩＤおよび印刷設定を取得し、この文書ＩＤで特定される電子文書を文書/筆跡情報記憶部２５から読み出す。そして、印刷設定に従ってその電子文書の文書画像を生成する。
画像合成部２８は、符号画像生成部２７ｅが生成した符号画像と、文書画像生成部２６が生成した文書画像とを合成し、合成画像を生成する。
送信部２９は、識別情報サーバ３０に対して識別情報の発行要求を送信する。また、画像形成装置４０に対して媒体に対する画像の印刷命令を送信する。さらに、筆跡情報の表示が指示された際には、識別情報サーバ３０に対して識別情報と筆跡情報とを送信する。
【００２４】
ここで、本実施の形態の文書サーバ２０で生成される符号画像について説明する。
図３は、符号画像を構成する画像等の一例を示した図である。まず、符号画像を構成する単位パターンについて説明する。図３(ａ)は、単位パターンの一例を示したものである。
単位パターンとは、情報埋め込みの最小単位である。図３(ａ)では、黒塗りの領域と斜線の領域をドット配置可能な領域とし、その間にある白色の領域をドット配置不可能な領域としている。そして、ドット配置可能な領域のうち、黒塗りの領域にドットが配置され、斜線の領域にはドットが配置されていないことを示している。すなわち、図３(ａ)は、ドットを配置可能な９箇所の中から選択した２箇所(黒塗りの領域)にドットを配置することで単位パターンを構成した例を示したものである。ここで、９箇所の中から２箇所を選択する組み合わせは３６(＝９Ｃ２)通りなので、単位パターンは、３６種類存在する。このうち、４種類の単位パターンは、同期パターンとして使用される。同期パターンとは、画像の回転を検出したり、識別符号および位置符号の相対的な位置を特定したりするためのパターンである。特に、画像の回転を検出する必要があることから、４種類の同期パターンとしては、そのうちの１つの同期パターンを９０度回転するとそのうちの別の同期パターンになるようなものが選ばれる。また、この４種類の単位パターンを除く３２種類の単位パターンは、識別符号および位置符号を表現する情報パターンとして使用され、５ビットの情報が表現される。
【００２５】
ところで、図３(ａ)に示したドットは、あくまで情報表現のためのドットであり、画像を構成する最小の点を意味するドットとは必ずしも一致しない。本実施の形態において、情報表現のためのドット(図３(ａ)の最小の四角)は、６００ｄｐｉにおける２ドット×２ドットの大きさを有している。６００ｄｐｉにおける１ドットの大きさは０．０４２３ｍｍなので、情報表現のためのドット(図３(ａ)の最小の四角)の一辺は、８４．６μｍ(＝０．０４２３ｍｍ×２)である。情報表現のためのドットは、大きくなればなるほど目に付きやすくなるため、できるだけ小さいほうが好ましい。ところが、あまり小さくすると、プリンタで印刷できなくなってしまう。そこで、情報表現のためのドットの大きさとして、５０μｍより大きく１００μｍより小さい上記の値を採用している。ただし、上記の値８４．６μｍは、あくまで計算上の数値であり、実際に印刷されたトナー像では１００μｍ程度になる。なお、本明細書で「ドット」というときは、特に明示しない限り、画像を構成する最小の点を意味するドットではなく、情報表現のためのドットを指すものとする。
【００２６】
次に、このような単位パターンから構成される符号ブロックについて説明する。図３(ｂ)に、符号ブロックのレイアウトの一例を示す。なお、ここでは、画像ではなく、パターン画像によって置き換えられる直前の符号配列で示している。すなわち、図３(ｂ)の最小の四角(以下、「単位ブロック」という)に、図３(ａ)のような単位パターン(３６通りの単位パターンのいずれか)が配置され、その画像が媒体に形成されることになる。
図３(ｂ)のレイアウトでは、符号ブロックの左上の１つの単位ブロックに、同期符号が配置されている。また、同期符号が配置された単位ブロックの右側の４つの単位ブロックにＸ位置符号が配置され、同期符号が配置された単位ブロックの下側の４つの単位ブロックにＹ位置符号が配置されている。さらに、これらの位置符号が配置された単位ブロックに囲まれた１６(＝４×４)個の単位ブロックに識別符号が配置されている。
【００２７】
ここで、識別情報の符号化について述べる。
識別情報を符号化する場合、識別情報を構成するビット列は、ＲＳ符号化を行うために複数のブロックに分割される。符号化には、いくつかの方法があるが、本実施の形態では、ＲＳ符号化が適している。ＲＳ符号は多値の符号法であり、この場合、単位ブロックで表現される値がＲＳ符号の多値に対応するからである。例えば、１つの単位ブロックで５ビットの情報を表現する場合、６０ビットの識別情報は、ブロック長が５ビットの１２個のブロックに分割される。そして、２ブロックの誤りを訂正可能なＲＳ符号を採用したとすると、符号長は１６ブロックとなり、図３(ｂ)の符号ブロックにおける識別符号が配置される単位ブロックに収まることになる。なお、符号化方式はＲＳ符号に限定するものでなく、その他の符号化方式、例えば、ＢＣＨ符号等を使用してもよい。
【００２８】
引き続いて、位置情報の符号化について述べる。
位置情報の符号化には、擬似乱数系列の一種であるＭ系列符号が使用される。ここで、Ｍ系列とは、ある長さのシフトレジスタとフィードバックによって生成される符号系列とのうち、その周期が最長になる系列をいう。Ｋをシフトレジスタの段数とすると、Ｍ系列の系列長は２Ｋ−１となる。このＭ系列から取り出した任意の連続したＫビットは、同じＭ系列中の他の位置に現れない性質を持つ。そこで、この性質を利用して位置情報を符号化する。
ところで、本実施の形態では、符号化すべき位置情報の長さから、必要なＭ系列の次数を求め、Ｍ系列を生成している。しかしながら、符号化する位置情報の長さが予め分かっている場合は、Ｍ系列を毎回生成する必要はない。すなわち、固定のＭ系列を予め生成しておき、それをメモリ等に格納しておけばよい。
例えば、系列長８１９１のＭ系列(Ｋ＝１３)を使用したとする。この場合、位置符号も５ビット単位で埋め込むため、系列長８１９１のＭ系列から５ビットずつ取り出してブロック化する。
【００２９】
なお、本明細書では、説明を簡単にするために、識別情報と位置情報とは明確に区別して用いている。しかしながら、広範な位置情報を用意しておき、媒体ごとに異なる範囲から位置情報を切り出して埋め込み、位置情報の違いによって媒体を識別するという手法もある。そこで、このような手法においては、媒体を識別する機能が位置情報に備わっているものと見て、位置情報を識別情報としても考えるものとする。
【００３０】
次に、識別情報サーバ３０の構成について説明する。
図４は、識別情報サーバ３０の機能構成の一例を示したブロック図である。図４に示したように、識別情報サーバ３０は、受信部３１と、識別情報管理部３２と、識別情報記憶部３３と、表示情報生成部３４と、送信部３９とを備える。
受信部３１は、文書サーバ２０から識別情報の発行要求を受信する。また、受信部３１は、印刷文書に対する筆記が行われた際には、媒体の識別情報と筆跡情報とを端末装置５０から受信する。ここで、本実施の形態では、端末装置５０から媒体の識別情報と筆跡情報とを受信し、さらに筆跡情報の表示が指示された際に、文書サーバ２０から媒体の識別情報と筆跡情報とを受信する受信手段の一例として、受信部３１を設けている。
【００３１】
識別情報管理部３２は、識別情報の発行要求があると、識別情報を重複することなく発行し、その際に指定された文書ＩＤおよび印刷設定を識別情報に関連付けて記憶する。また、識別情報の指定を受けて、その識別情報に対応する文書ＩＤおよび印刷設定を取り出す。
識別情報記憶部３３は、識別情報を、その使用/未使用の状態、それが付与された媒体に印刷された電子文書の文書ＩＤ、それが付与された媒体に電子文書が印刷された際の印刷設定を関連付けて記憶するデータベースである。
表示情報生成部３４は、筆跡情報の表示が指示された際に、文書サーバ２０から取得した情報に基づいて、筆跡情報を表示するための表示情報を生成する。この表示情報としては、例えば、端末装置５０で表示するイメージを生成する元となるデータを生成する。
【００３２】
送信部３９は、文書サーバ２０からの要求に応じて発行した識別情報を文書サーバ２０に送信する。また、印刷文書に対する筆記が行われた際には、媒体の識別情報と筆跡情報とを文書サーバ２０に送信する。さらに、筆跡情報の表示が指示された際には、端末装置５０に対して表示情報を送信する。
【００３３】
次に、デジタルペン６０について説明する。
本実施の形態のデジタルペン６０は、筆記操作に適したペン型で構成され、装置本体部の一例であるペン本体部６０Ａと、ペンチップ６４(後段参照)を保護する保護カバー部の一例であるキャップ部６０Ｂとの２つの構成部で構成されている。まず図５は、デジタルペン６０の全体構成図であって、(ａ)はキャップ部６０Ｂがペン本体部６０Ａの先端部に装着された状態のデジタルペン６０の外観斜視図、(ｂ)はデジタルペン６０のキャップ部６０Ｂの外観斜視図、(ｃ)はキャップ部６０Ｂがペン本体部６０Ａの後端部に装着された状態のデジタルペン６０の外観斜視図である。図５に示したように、本実施の形態のデジタルペン６０は、ペン本体部６０Ａに対してキャップ部６０Ｂが先端部と後端部とに着脱自在に構成されている。
そして、デジタルペン６０が使用されない状態では、図５(ａ)に示したように、キャップ部６０Ｂがペン本体部６０Ａの先端部に装着される。また、「筆記モード」や「参照モード」(後段参照)によるデジタルペン６０の使用時には、キャップ部６０Ｂの紛失や破損を防ぐ等の観点から、図５(ｃ)に示したように、キャップ部６０Ｂがペン本体部６０Ａの後端部に装着される。
【００３４】
次の図６は、デジタルペン６０の内部構成を説明する概略図である。図６に示したように、デジタルペン６０のペン本体部６０Ａには、媒体に筆記を行う筆記部の一例であるペンチップ６４、ペン全体の動作制御および信号処理を行う制御/処理部６１、媒体上に赤外光を照射する赤外ＬＥＤ６２、媒体からの反射光を検知することによって符号画像を読み取る赤外ＣＭＯＳ６３、識別情報や筆跡情報や位置情報を記憶する情報メモリ６５、端末装置(外部装置)５０と通信を行う通信部６６、デジタルペン６０の動作状態を表示する第１の表示部の一例としての第１表示部ＤＳＰ１を備えている。さらには、デジタルペン６０の各部を駆動するための電力を供給する充電可能なバッテリ６７を備えている。
【００３５】
また、デジタルペン６０のペン本体部６０Ａには、ユーザが行う各種操作に対応したオン/オフ信号を出力するスイッチング部材として、デジタルペン６０にペンチップ６４を保護するためのキャップ部６０Ｂが装着されているか否かを検知するキャップスイッチＳＷ１、デジタルペン６０による筆記動作等をペンチップ６４に加わる圧力(筆圧)によって検知する筆圧検知スイッチＳＷ２、ユーザ操作によるオン/オフの入力を受け付けるユーザスイッチＳＷ３を備えている。キャップスイッチＳＷ１およびユーザスイッチＳＷ３は本体筐体６８の側面部にそれぞれ設けられ、筆圧検知スイッチＳＷ２は本体筐体６８内部に設けられている。
さらに、本体筐体６８の側面部には、制御/処理部６１にて生成されたデジタルペン６０の動作状態を示す情報信号(状態情報信号)を出力する出力端子ＣＮＴＡが設けられている。
そして、赤外ＬＥＤ６２、赤外ＣＭＯＳ６３、情報メモリ６５、および通信部６６、さらにはキャップスイッチＳＷ１、筆圧検知スイッチＳＷ２、ユーザスイッチＳＷ３、および出力端子ＣＮＴＡは、制御/処理部６１との間で信号の送受信を行うように接続されている。
【００３６】
一方、デジタルペン６０のキャップ部６０Ｂは、デジタルペン６０の動作状態を表示する第２の表示部の一例としての第２表示部ＤＳＰ２を備えている。
【００３７】
ここで、キャップ部６０Ｂに設けられた第２表示部ＤＳＰ２とペン本体部６０Ａの制御/処理部６１との接続について述べる。
図６に示したように、本実施の形態のデジタルペン６０では、ペン本体部６０Ａのペンチップ６４側の側面には制御/処理部６１から状態情報信号を出力する出力端子が設けられていない。そのため、キャップ部６０Ｂがペン本体部６０Ａの先端部側に装着された状態(図５(ａ)参照)では、キャップ部６０Ｂに設けられた第２表示部ＤＳＰ２は制御/処理部６１と接続されず、制御/処理部６１から状態情報信号を受信しない。また同等に、バッテリ６７からの電力供給も行われない。
【００３８】
一方、キャップ部６０Ｂがペン本体部６０Ａの後端部側に装着された状態(図５(ｃ)参照)では、キャップ部６０Ｂに設けられた第２表示部ＤＳＰ２とペン本体部６０Ａ側の出力端子ＣＮＴＡとが接続される。それにより、制御/処理部６１と第２表示部ＤＳＰ２とは信号(状態情報信号)の送受信が可能な状態に設定される。すなわち、ペン本体部６０Ａ側の出力端子ＣＮＴＡは、キャップ部６０Ｂがペン本体部６０Ａの後端部側の所定位置に装着された際に、キャップ部６０Ｂ側の第２表示部ＤＳＰ２と接続する位置に配置される。
ここで、図７は、キャップ部６０Ｂがペン本体部６０Ａの後端部に装着され、キャップ部６０Ｂ側の第２表示部ＤＳＰ２とペン本体部６０Ａ側の出力端子ＣＮＴＡとが接続された状態を示した図である。図７に示したように、キャップ部６０Ｂがペン本体部６０Ａの後端部側の所定位置に装着されることで、第２表示部ＤＳＰ２と出力端子ＣＮＴＡとが接続された状態に設定される。そしてその場合には、制御/処理部６１は、第２表示部ＤＳＰ２と出力端子ＣＮＴＡとが接続されたことを検知し、状態情報信号を送信する。
【００３９】
ペン本体部６０Ａ側に設けられる出力端子ＣＮＴＡは、例えば、ペン本体部６０Ａの壁面外周面に円環状に設けられる。それにより、キャップ部６０Ｂとペン本体部６０Ａとの周方向に関する相対位置に関係なく、第２表示部ＤＳＰ２と出力端子ＣＮＴＡとは接続される。
また、ペン本体部６０Ａの壁面外周面の同一周上に１個または複数個の出力端子ＣＮＴＡを設けるように構成してもよい。この構成では、キャップ部６０Ｂとペン本体部６０Ａとが周方向に関する所定の位置関係で装着された場合に、第２表示部ＤＳＰ２と出力端子ＣＮＴＡとが接続される。それにより、キャップ部６０Ｂを周方向に関して所定位置に装着するか否かによって、後段に説明する第１の表示モードと第２の表示モードとが選択されることとなる。
【００４０】
ここで、第２表示部ＤＳＰ２に突出自在な入力端子を設けるとともに、ペン本体部６０Ａ側の出力端子ＣＮＴＡをユーザが直接触り難い凹部に設ける構成としてもよい。図８は、キャップ部６０Ｂがペン本体部６０Ａの後端部に装着される際の突出自在な入力端子ＣＮＴＢと凹部に設けられた出力端子ＣＮＴＡとの接続を説明する図である。図８(ａ)に示したように、キャップ部６０Ｂがペン本体部６０Ａの後端部に装着される直前までは、入力端子ＣＮＴＢは、入力端子ＣＮＴＢをキャップ部６０Ｂ内側に付勢する弾性支持体ＣＮＴＢｂからの弾性力を受けて、キャップ部６０Ｂ内側に突出して位置する。続いて、図８(ｂ)に示したように、キャップ部６０Ｂがペン本体部６０Ａの後端部への装着を開始すると、弾性支持体ＣＮＴＢｂは本体筐体６８に押圧されて圧縮され、入力端子ＣＮＴＢは本体筐体６８表面に接触した状態でスライド移動する。そして、図８(ｃ)に示したように、入力端子ＣＮＴＢが出力端子ＣＮＴＡの位置に到達すると、出力端子ＣＮＴＡが配置された凹部ＣＮＴＡａにより弾性支持体ＣＮＴＢｂが解放されて、再び入力端子ＣＮＴＢはキャップ部６０Ｂ内側に突出して位置する。それにより、入力端子ＣＮＴＢと出力端子ＣＮＴＡとは接続される。また、入力端子ＣＮＴＢが凹部ＣＮＴＡａに到達した時点で、ユーザにはクリック感が伝わり、キャップ部６０Ｂが所定位置に装着されたことが認識される。
【００４１】
この場合に、出力端子ＣＮＴＡをプッシュスイッチで構成し、入力端子ＣＮＴＢが出力端子ＣＮＴＡを押圧することで、出力端子ＣＮＴＡと制御/処理部６１との接続がオンされるように構成してもよい。それにより、入力端子ＣＮＴＢが出力端子ＣＮＴＡの配置位置に設定されることで、制御/処理部６１は、入力端子ＣＮＴＢと出力端子ＣＮＴＡとの接続を検知し、制御/処理部６１から状態情報信号の出力が開始される。
また、キャップ部６０Ｂの入力端子ＣＮＴＢを開閉自在な蓋部に一体的に固定配置し、キャップ部６０Ｂがペン本体部６０Ａに装着されるまでは、蓋部を開けて入力端子ＣＮＴＢを退避させておく。そして、キャップ部６０Ｂがペン本体部６０Ａの所定位置に装着された時点で蓋部を閉めることにより、入力端子ＣＮＴＢと出力端子ＣＮＴＡとを接続させるように構成してもよい。
【００４２】
なお、本実施の形態のデジタルペン６０では、上記のようにして出力端子ＣＮＴＡから第２表示部ＤＳＰ２に制御/処理部６１から信号(状態情報信号)が出力される。加えて、図７には示していないが、第２表示部ＤＳＰ２と出力端子ＣＮＴＡとが接続されることで、バッテリ６７から第２表示部ＤＳＰ２に対する電力供給も同様に行われるように構成してもよい。また、出力端子ＣＮＴＡへの信号ラインとは異なる電力ラインを別途配置し、この電力ラインを用いてバッテリ６７から第２表示部ＤＳＰ２に電力供給が行われるように構成してもよい。
【００４３】
次に、デジタルペン６０に備えられた他の各機能部について述べる。
まず、赤外ＬＥＤ６２は、７００〜１０００μｍの波長の赤外光を出射する１または複数のＬＥＤ(Light Emitting Diode)で構成されている。そして、後述する制御/処理部６１内の照明駆動部６１４から送信される駆動信号に基づいてパルス点灯する。
赤外ＣＭＯＳ６３は、赤外領域に感度があるＣＭＯＳセンサ(Complementary Metal Oxide Semiconductor)であって、撮像した画像を同時に転送できるグローバルシャッタ方式を用いている。そして、赤外ＣＭＯＳ６３は、５０ｆｐｓ〜１００ｆｐｓ(frame per second)程度の周期(フレームレート)で送信される画像取込信号に同期して、媒体に印刷された符号画像を撮像する。画像取込信号は、後述する制御/処理部６１内の画像取込信号生成部６１５にて生成され、赤外ＣＭＯＳ６３に送信される。
第１表示部ＤＳＰ１は、後段で述べる第１の表示モードおよび第２の表示モードの双方が設定された場合において、デジタルペン６０の動作状態の表示を行う。
また、第２表示部ＤＳＰ２は、後段で述べる第１の表示モードが設定された場合において、デジタルペン６０の動作状態の表示を行う。
【００４４】
続いて、制御/処理部６１について説明する。図９は、制御/処理部６１の機能構成の一例を示したブロック図である。図９に示したように、制御/処理部６１は、赤外ＣＭＯＳ６３にて読み取った符号画像を処理する画像処理部６１１、画像処理部６１１での処理結果から識別情報および位置情報を取得し、さらには筆跡情報を生成するデータ処理部６１２、データ処理部６１２にて取得・生成された識別情報と筆跡情報または位置情報とを情報メモリ６５または通信部６６に出力する出力部６１３、赤外ＬＥＤ６２を駆動する照明駆動部６１４、赤外ＣＭＯＳ６３に送信する所定周期の画像取込信号を生成する画像取込信号生成部６１５、各部の動作を制御する動作制御部６１６、ペンの識別情報(ペンＩＤ)を記憶するペンＩＤメモリ６１７を備えている。
ここで、画像処理部６１１およびデータ処理部６１２は、媒体に印刷された符号画像に基づき筆跡情報を生成する筆跡情報生成手段として機能する。
【００４５】
画像処理部６１１には、画像取得部６１１ａと、ドット配列生成部６１１ｂとが備えられる。
画像取得部６１１ａは、赤外ＣＭＯＳ６３により印刷文書から読み取られた符号画像を取得する。また、必要に応じて、符号画像に含まれるノイズを除去する。
ドット配列生成部６１１ｂは、符号画像におけるドットの位置を参照して、ドット配列を生成する。すなわち、２次元の配列上で、例えば、ドットがある位置に「１」を、ドットがない位置に「０」を記憶することにより、画像として検出したドットをデジタルデータに置き換える。そして、この２次元の配列をドット配列として出力する。
【００４６】
データ処理部６１２には、符号配列生成部６１２ａと、識別情報取得部６１２ｂと、位置情報取得部６１２ｃと、筆跡情報生成部６１２ｄとが備えられる。
符号配列生成部６１２ａは、ドット配列上で、符号ブロック内の単位パターンに対応するブロックを検出する。具体的には、単位パターンが配置されるブロックと同じ形状および大きさの枠をドット配列上で動かし、枠内のドット数が均等になる位置で枠を固定する。例えば、図３(ａ)の単位パターンを用いる場合であれば、３ドット×３ドットに対応する大きさの枠を動かし、枠内に含まれるドット数が２となる位置で枠を固定する。そして、その枠で区切られた各ブロック内のドット位置から定まる符号値を格納した符号配列を生成する。また、この符号配列が生成されると、予め定められた同期符号の符号値を検索することによって、同期符号の位置が特定される。
【００４７】
識別情報取得部６１２ｂは、符号配列から同期符号の位置を基準にして識別符号を検出する。そして、画像生成時にＲＳ符号化処理で用いたパラメータを用いて識別符号を復号し、識別情報を取得する。
位置情報取得部６１２ｃは、符号配列から同期符号の位置を基準にして位置符号を検出する。そして、位置符号からＭ系列の部分系列を取り出し、画像生成時に使用したＭ系列におけるこの部分系列の位置を参照し、この位置を同期符号によるオフセットで補正した値を位置情報として取得する。なお、オフセットで補正するのは、位置符号の間に同期符号が配置されているためである。
筆跡情報生成部６１２ｄは、位置情報取得部６１２ｃが取得した位置情報を連結した筆跡情報を生成する。ここでの筆跡情報とは、ペンチップ６４による筆記(手書き)が行われた際のペンチップ６４先端の軌跡を連結して電子化したデータである。
【００４８】
ところで、デジタルペン６０には、異なる複数の動作モードを使い分けて使用できる機能が設定されている。例えば、本実施の形態のデジタルペン６０では、ペンチップ６４により媒体上に描かれた筆記画像を筆跡情報として端末装置５０に送信する動作モードである「筆記モード」と、媒体から得られた識別情報および位置情報の一方または双方を特定の情報にリンクするための参照情報として用いる動作モードとしての「参照モード」とが設定される。「参照モード」での動作例としては、端末装置５０に対して例えば所定のウェブブラウザプログラムを開いて特定情報が保存・記述されたウェブアドレス等にリンクさせるコマンドを生成させるための参照情報として、位置情報取得部６１２ｃにて取得した位置情報および識別情報取得部６１２ｂにて取得された識別情報を用いる。なお、「参照モード」において、位置情報および識別情報のいずれか一方だけを用いるように構成してもよい。
【００４９】
デジタルペン６０における「筆記モード」や「参照モード」等の動作モードは、ユーザの操作に対応したオン/オフ信号を出力するキャップスイッチＳＷ１、筆圧検知スイッチＳＷ２およびユーザスイッチＳＷ３のオン/オフ状態に基づき、動作制御部の一例である動作制御部６１６が設定する。そして、動作制御部６１６は、データ処理部６１２に対して、「筆記モード」または「参照モード」の設定を指示する制御信号を送る。「筆記モード」および「参照モード」の設定に関しては、後段で詳述する。
【００５０】
そして、筆跡情報生成部６１２ｄは、動作制御部６１６からの「筆記モード」の設定を指示する制御信号により動作する。それにより、「筆記モード」では、識別情報取得部６１２ｂにて取得された識別情報と、筆跡情報生成部６１２ｄにて生成された筆跡情報とが出力部６１３に送られる。
それに対して、動作制御部６１６からの制御信号にて「参照モード」が設定されている場合には、筆跡情報生成部６１２ｄは機能を停止する。それにより、「参照モード」では、識別情報取得部６１２ｂにて取得された識別情報と、位置情報取得部６１２ｃが取得した位置情報とが出力部６１３に出力される。
なお、「筆記モード」および「参照モード」の双方において筆跡情報生成部６１２ｄを動作させ、位置情報から筆跡情報を生成してもよい。その際には、「筆記モード」が設定されている場合には筆跡情報はペンチップ６４先端の軌跡を連結した筆跡情報としてそのまま使用される。また、「参照モード」が設定されている場合には筆跡情報は参照情報として使用される。
【００５１】
また、動作制御部６１６は、第１表示部ＤＳＰ１および第２表示部ＤＳＰ２での表示設定を制御する表示制御部として機能する。すなわち、第２表示部ＤＳＰ２と出力端子ＣＮＴＡとの接続を検知する。そして、検知結果に応じて、後段で述べる第１の表示モードおよび第２の表示モードの何れかを設定する。例えば、第２表示部ＤＳＰ２と出力端子ＣＮＴＡとの接続を検知した場合には、第１の表示モードを設定する。その場合には、動作制御部６１６から出力端子ＣＮＴＡ(第２表示部ＤＳＰ２)と第１表示部ＤＳＰ１との双方に状態情報信号の出力を行う。また、第２表示部ＤＳＰ２と出力端子ＣＮＴＡとの接続を検知しない場合には、第２の表示モードを設定する。その場合には、動作制御部６１６から第１表示部ＤＳＰ１だけに状態情報信号の出力を行う。
【００５２】
出力部６１３は、通信部６６と端末装置５０との間の通信が確立されている場合には、識別情報と、筆跡情報または位置情報とを通信部６６に出力する。一方、通信部６６と端末装置５０との間の通信が確立されていない場合には、出力部６１３は、識別情報と、筆跡情報または位置情報とを情報メモリ６５に出力する。情報メモリ６５は、出力部６１３から送られた識別情報と、筆跡情報または位置情報とを記憶することにより、通信が不調でも、識別情報、および筆跡情報または位置情報が失われない。
なお、出力部６１３は、識別情報と、筆跡情報または位置情報とのいずれか一方を情報メモリ６５または通信部６６に出力するように構成してもよい。
【００５３】
画像取込信号生成部６１５は、例えば５０ｆｐｓ〜１００ｆｐｓの周期(フレームレート)の画像取込信号を生成して、赤外ＣＭＯＳ６３に送信する。赤外ＣＭＯＳ６３では、送信される画像取込信号により設定されるフレームレートで媒体に印刷された符号画像を順次撮像する。さらに、画像取込信号生成部６１５は、生成した画像取込信号を照明駆動部６１４に送信する。
照明駆動部６１４は、赤外ＬＥＤ６２を駆動するための駆動信号を生成し、赤外ＬＥＤ６２をパルス点灯させる。その際には、赤外ＣＭＯＳ６３でのフレームレートに対応させるため、画像取込信号生成部６１５にて生成される画像取込信号に同期させて駆動信号を出力する。それにより、赤外ＬＥＤ６２における消費電力の低減を図っている。
【００５４】
デジタルペン６０では、まず、照明駆動部６１４にて駆動される赤外ＬＥＤ６２が媒体に対して赤外光を照射すると、画像取込信号生成部６１５からの画像取込信号に同期して赤外ＣＭＯＳ６３がその反射光を受光し、媒体に印刷された符号画像を読み取る。そして、赤外ＣＭＯＳ６３にて読み取られた符号画像は、制御/処理部６１内の画像処理部６１１に送られる。
画像処理部６１１では、画像取得部６１１ａがこの読み取った符号画像を取得する。その際に、符号画像にノイズが含まれていれば、これを除去する。引き続いて、ドット配列生成部６１１ｂが、符号画像に含まれるドット位置をデジタルデータ化し、ドット配列を生成する。そして、生成されたドット配列はデータ処理部６１２に送られる。
【００５５】
次のデータ処理部６１２では、符号配列生成部６１２ａが、ドット配列からブロックを検出し、ブロックごとの符号値を格納した符号配列を生成する。そして、符号配列において、同期符号の位置を特定する。その後、識別情報取得部６１２ｂが、同期符号の位置に基づいて識別符号を検出し、これを復号して識別情報を取得する。識別情報取得部６１２ｂにて取得された識別情報は、出力部６１３に送られる。
また、位置情報取得部６１２ｃが、同期符号の位置に基づいて位置符号を検出し、これを復号して位置情報を取得する。そして、「筆記モード」が設定されている場合には、位置情報取得部６１２ｃにて取得された位置情報は、筆跡情報生成部６１２ｄに送られ、筆跡情報生成部６１２ｄが、位置情報を連結して筆跡情報を生成する。筆跡情報生成部６１２ｄにて生成された筆跡情報は、出力部６１３に送られる。一方、「参照モード」が設定されている場合には、位置情報取得部６１２ｃにて取得された位置情報は、そのまま出力部６１３に送られる。
【００５６】
出力部６１３は、通信部６６と端末装置５０との間の通信が確立されている場合には、識別情報と、筆跡情報または位置情報とを通信部６６に出力する。一方、通信部６６と端末装置５０との間の通信が確立されていない場合には、出力部６１３は、識別情報と、筆跡情報または位置情報とを情報メモリ６５に出力する。
そして、識別情報と、筆跡情報または位置情報とが通信部６６に出力されることで、通信部６６は、筆跡情報等を端末装置５０に送信する。識別情報等が情報メモリ６５に出力されることで、情報メモリ６５は、筆跡情報等を記憶する。
【００５７】
続いて、動作制御部６１６が設定する第１の表示モードおよび第２の表示モードについて説明する。
本実施の形態のデジタルペン６０には、様々な動作状態が発生する。例えば、上記した動作モードとして、ペンチップ６４により媒体上に描かれた筆記画像を筆跡情報として端末装置５０に送信する「筆記モード」と、媒体から得られた識別情報および位置情報の一方または双方を特定の情報にリンクするための参照情報として用いる「参照モード」とが設定される動作状態がある。
また、識別情報と筆跡情報または位置情報とが通信部６６から端末装置５０に送信される動作状態と、情報メモリ６５に記憶される動作状態とがある。さらにその場合に、通信部６６には端末装置５０への送信途中の動作状態と通信完了の動作状態とがある。
また、デジタルペン６０の電源がオンされた動作状態やオフされた動作状態、さらには、電力消費を低減した省電力状態が設定される。加えて、バッテリ６７での充電量の状態の変動もある。
【００５８】
ここで、まず「筆記モード」および「参照モード」の設定について述べる。「筆記モード」および「参照モード」は、上記したように、キャップスイッチＳＷ１、筆圧検知スイッチＳＷ２およびユーザスイッチＳＷ３のオン/オフ状態に基づき、動作制御部６１６が設定する。
ペン本体部６０Ａの本体筐体６８側面部に配置されたキャップスイッチＳＷ１は、図７に示したように、ペン本体部６０Ａにキャップ部６０Ｂが装着されていない場合には、ペン本体部６０Ａの側面から突出した状態に設定される。また、図６に示したように、キャップ部６０Ｂが装着された場合には、キャップ部６０Ｂの内周面により押し込まれることで、キャップスイッチＳＷ１はキャップ部６０Ｂの内部に収容された状態に設定される。
そして、キャップスイッチＳＷ１は、キャップスイッチＳＷ１がペン本体部６０Ａの側面から突出した状態に設定された場合には、キャップスイッチＳＷ１は動作制御部６１６に対してオフ状態にあることを表す信号「０」を出力する。一方、キャップスイッチＳＷ１がペン本体部６０Ａの内部に収容された状態に設定された場合には、キャップスイッチＳＷ１は動作制御部６１６に対してオン状態にあることを表す信号「１」を出力する。
【００５９】
次に、ペン本体部６０Ａの本体筐体６８内部に配置された筆圧検知スイッチＳＷ２は、図７に示したキャップ部６０Ｂが装着されていない場合において、デジタルペン６０による筆記動作が行われると、ペンチップ６４が媒体を押圧する。それにより、ペンチップ６４はペンチップ６４の軸方向に沿って筆圧検知スイッチＳＷ２側に所定量移動する。それによって、筆圧検知スイッチＳＷ２は、ペンチップ６４からの圧力(筆圧)を受けてデジタルペン６０による筆記動作を検知する。その場合に、筆圧検知スイッチＳＷ２は、動作制御部６１６に対してオン状態にあることを表す信号「１」を出力する。
一方、ペンチップ６４は不図示の付勢バネによって筆圧検知スイッチＳＷ２とは反対側に常時付勢されている。そのため、デジタルペン６０による筆記動作が行われていない状態では、ペンチップ６４は付勢バネによって本体筐体６８から突出するような所定位置に設定される。そのため、筆記動作が行われていない状態では、筆圧検知スイッチＳＷ２はペンチップ６４からの圧力(筆圧)を受けないこととなる。その場合には、筆圧検知スイッチＳＷ２は、動作制御部６１６に対してオフ状態にあることを表す信号「０」を出力する。
【００６０】
次に、ペン本体部６０Ａの本体筐体６８側面部に配置されたユーザスイッチＳＷ３(図６や図７参照)は、ユーザの操作入力によりオン/オフが設定される。すなわち、ユーザスイッチＳＷ３がユーザの操作によりオン入力された場合には信号「１」を出力する。それ以外には、動作制御部６１６に対して信号「０」を出力する。
【００６１】
図１０は、キャップスイッチＳＷ１、筆圧検知スイッチＳＷ２、およびユーザスイッチＳＷ３のオン/オフ状態と動作モードとの関係の一例を示した図である。まず図１０において、キャップスイッチＳＷ１がオフ状態(「０」)にある場合について述べる。この状態は、キャップ部６０Ｂがペン本体部６０Ａの先端部側に装着されていない場合に設定される。この状態において、筆圧検知スイッチＳＷ２がオン状態(「１」)にある場合には、デジタルペン６０は、ペンチップ６４による筆記が行われているか、または媒体の符号画像が読み取られている状態にある。
そこで、この場合には、動作制御部６１６はユーザスイッチＳＷ３の状態に基づき動作モードを設定する。すなわち、ユーザスイッチＳＷ３がオフ状態(「０」)にある場合には、動作制御部６１６は「筆記モード」を設定する。また、ユーザスイッチＳＷ３がオン状態(「１」)にある場合には、動作制御部６１６は「参照モード」を設定する。
【００６２】
図１０においてキャップスイッチＳＷ１がオフ状態(「０」)にあり、筆圧検知スイッチＳＷ２がオフ状態(「０」)にある場合には、ペンチップ６４は媒体に押圧されておらず、ユーザがペンチップ６４による筆記も媒体の符号画像の読み取りも行っていない状態にある。そこで、この場合には、動作制御部６１６はデジタルペン６０を省電力状態に設定する。本明細書での「省電力状態」とは、デジタルペン６０の一部の機能部への電力供給を停止または低減する状態、またはデジタルペン６０の制御/処理部６１内の一部の機能部を残して殆どすべての機能部への電力供給を停止する状態をいう。
【００６３】
次に図１０において、キャップスイッチＳＷ１のオン状態(「１」)は、キャップ部６０Ｂがペン本体部６０Ａの先端部側に装着されている場合に設定される。キャップ部６０Ｂが先端部側に装着された場合には、筆圧検知スイッチＳＷ２およびユーザスイッチＳＷ３の状態に拘わらず、ユーザはデジタルペン６０を使用する意思がないとして、動作制御部６１６は省電力状態を設定する。
【００６４】
このように、動作制御部の一例である動作制御部６１６は、図１０に示したキャップスイッチＳＷ１、筆圧検知スイッチＳＷ２およびユーザスイッチＳＷ３のオン/オフ状態と各動作モードとの関係に基づき、デジタルペン６０に「筆記モード」または「参照モード」を設定する。すなわち、キャップスイッチＳＷ１がオフ状態(「０」)、筆圧検知スイッチＳＷ２がオン状態(「１」)、ユーザスイッチＳＷ３がオフ状態(「０」)にある場合には、動作制御部６１６は、デジタルペン６０に「筆記モード」を設定する。また、キャップスイッチＳＷ１がオフ状態(「０」)、筆圧検知スイッチＳＷ２がオン状態(「１」)、ユーザスイッチＳＷ３がオン状態(「１」)にある場合には、動作制御部６１６は、デジタルペン６０に「参照モード」を設定する。そして、それ以外の設定では、動作制御部６１６は省電力状態を設定する。
【００６５】
図１０に示したように、キャップ部６０Ｂがペン本体部６０Ａの先端部側に装着されていない状態では、「筆記モード」、「参照モード」、さらには省電力状態が設定される。そして、「筆記モード」および「参照モード」では、識別情報と筆跡情報または位置情報とが通信部６６から端末装置５０に送信される動作状態と、情報メモリ６５に記憶される動作状態とが発生する。さらにその場合には、通信部６６には端末装置５０への送信途中の動作状態と通信完了の動作状態とが生じる。また、デジタルペン６０の電源がオンされた動作状態やオフされた動作状態や、バッテリ６７での充電量の変動もある。
一方、キャップ部６０Ｂがペン本体部６０Ａの先端部側に装着されている状態では、「筆記モード」や「参照モード」の設定はなく、省電力状態が設定されるだけである。そのため、識別情報と筆跡情報または位置情報とが通信部６６から端末装置５０に送信される動作状態や情報メモリ６５に記憶される動作状態もない。さらに、通信部６６における端末装置５０への送信途中の動作状態および通信完了の動作状態もない。ただし、デジタルペン６０の電源がオンされた動作状態やオフされた動作状態、バッテリ６７での充電量の変動はある。
【００６６】
このように、キャップ部６０Ｂがペン本体部６０Ａの先端部側に装着されていない状態と、先端部側に装着されている状態とでは、デジタルペン６０に設定される動作状態の種類の数が異なる。すなわち、キャップ部６０Ｂがペン本体部６０Ａの先端部側に装着されていない状態では、デジタルペン６０に設定される動作状態の種類の数は多いが、先端部側に装着されている状態では、デジタルペン６０に設定される動作状態の種類の数は少ない。
そこで、本実施の形態のデジタルペン６０では、表示制御部の一例としての動作制御部６１６が、キャップ部６０Ｂがペン本体部６０Ａの後端部側に装着された状態において、ペン本体部６０Ａに配置された第１表示部ＤＳＰ１およびキャップ部６０Ｂに配置された第２表示部ＤＳＰ２の双方を用いてデジタルペン６０の動作状態を表示する第１の表示モードを設定する。また、キャップ部６０Ｂがペン本体部６０Ａの先端部側に装着された状態において、ペン本体部６０Ａに配置された第１表示部ＤＳＰ１だけを用いてデジタルペン６０の動作状態を表示する第２の表示モードを設定する。
【００６７】
すなわち、キャップ部６０Ｂがペン本体部６０Ａの後端部側の所定位置に装着されることで、第２表示部ＤＳＰ２と出力端子ＣＮＴＡとが接続された状態に設定されると、制御/処理部６１の動作制御部６１６は、第２表示部ＤＳＰ２と出力端子ＣＮＴＡとが接続されたことを検知する。それにより、動作制御部６１６は、第１の表示モードを設定する。
また、第２表示部ＤＳＰ２と出力端子ＣＮＴＡとが接続されたことを検知していない状態においては、動作制御部６１６は、第２の表示モードを設定する。
【００６８】
ここで、図１１は、(ａ)が第１の表示モードが設定された場合の表示形態の一例を示した図であり、(ｂ)が第２の表示モードが設定された場合の表示形態の一例を示した図である。図１１に示したように、ペン本体部６０Ａ側の第１表示部ＤＳＰ１は、例えばＬＥＤ(Light Emitting Diode)等の発光素子からなる２つの発光部ＬＥＤ１１,ＬＥＤ１２で構成される。また、キャップ部６０Ｂ側の第２表示部ＤＳＰ２は、同様の発光素子からなる３つの発光部ＬＥＤ２１,ＬＥＤ２２,ＬＥＤ２３と、エキストラスイッチＳＷ４とで構成される。
【００６９】
そして、図１１(ａ)に示したように、第１の表示モードが設定された場合には、発光部ＬＥＤ１１,ＬＥＤ１２と、発光部ＬＥＤ２１,ＬＥＤ２２,ＬＥＤ２３とを用いて、点灯/点滅/非点灯の設定や、表示色、点滅の速さ、これらの組み合わせ等により、デジタルペン６０の動作状態を表示する。すなわち、第１表示部ＤＳＰ１の発光部ＬＥＤ１１,ＬＥＤ１２、および第２表示部ＤＳＰ２の発光部ＬＥＤ２１,ＬＥＤ２２,ＬＥＤ２３を用いて、「筆記モード」、「参照モード」、および省電力状態の設定に関する設定情報、筆跡情報等が端末装置５０に送信される動作状態を示す情報、筆跡情報等が情報メモリ６５に記憶されている動作状態を示す情報、通信部６６から端末装置５０への送信途中の動作状態を示す情報、通信完了の動作状態を示す情報、通信が成功したか否かに関する情報、デジタルペン６０の電源がオンされた動作状態を示す情報、オフされた動作状態を示す情報、バッテリ６７での充電量の状態情報等を表示する。
また、エキストラスイッチＳＷ４は、例えばユーザスイッチＳＷ３を兼ねるように設定する。すなわち、ユーザの操作し易い何れによっても、「筆記モード」および「参照モード」の切り換えを行うように設定する。また、エキストラスイッチＳＷ４により、端末装置５０への筆跡情報等の送信を開始するように設定してもよい。それにより、例えば情報メモリ６５に記憶されている筆跡情報等がユーザの意思により端末装置５０に送信される。また、発光部ＬＥＤ１１,ＬＥＤ１２や、発光部ＬＥＤ２１,ＬＥＤ２２,ＬＥＤ２３の表示色をエキストラスイッチＳＷ４により変更するように設定してもよい。
【００７０】
一方、図１１(ｂ)に示したように、第２の表示モードが設定された場合には、発光部ＬＥＤ１１,ＬＥＤ１２を用いて、点灯/点滅/非点灯の設定や、表示色、点滅の速さ、これらの組み合わせ等により、デジタルペン６０の状態を表示する。すなわち、第１表示部ＤＳＰ１の発光部ＬＥＤ１１,ＬＥＤ１２を用いて、省電力状態の設定に関する設定情報、デジタルペン６０の電源がオンされた動作状態を示す情報、オフされた動作状態を示す情報、バッテリ６７での充電量の状態情報等を表示する。
【００７１】
上記したように、本実施の形態のデジタルペン６０では、キャップ部６０Ｂがペン本体部６０Ａの後端部側に装着された状態では、デジタルペン６０に設定される動作状態の種類の数が多いため、ペン本体部６０Ａに配置された第１表示部ＤＳＰ１およびキャップ部６０Ｂに配置された第２表示部ＤＳＰ２の双方を用いてデジタルペン６０の状態を表示する第１の表示モードを設定する。その一方で、キャップ部６０Ｂがペン本体部６０Ａの先端部側に装着された場合には、デジタルペン６０に設定される動作状態の種類の数が少ないため、ペン本体部６０Ａに配置された第１表示部ＤＳＰ１だけを用いてデジタルペン６０の状態を表示する第２の表示モードを設定する。
それにより、外表面の面積が少ないデジタルペン６０において、小さな面積領域を効率的に利用して、デジタルペン６０に設定される動作状態が表示される。また、ペン本体部６０Ａ内部での各機能部の実装に余裕が生じ、デジタルペン６０の小型化が図られる。さらに、表示するデジタルペン６０の状態の種類が少ない場合には、少ない発光部だけで表示を行うことので、デジタルペン６０での消費電力が低減される。
また、キャップ部６０Ｂがペン本体部６０Ａの後端部側に装着された場合に、ユーザの目の位置に近い位置にあるキャップ部６０Ｂにおいても表示を行うので、デジタルペン６０の状態が把握し易い。
【００７２】
なお、キャップ部６０Ｂがペン本体部６０Ａの先端部側に装着されていない状態であって、キャップ部６０Ｂがペン本体部６０Ａの後端部側にも装着されていない場合においても、「筆記モード」、「参照モード」、および省電力状態は設定される。しかし、この場合には、第２表示部ＤＳＰ２と出力端子ＣＮＴＡとの接続が検知されないので、第１の表示モードは設定されない。そこで、例えば、キャップ部６０Ｂがペン本体部６０Ａの先端部側から取り外され、キャップスイッチＳＷ１がオフ状態(「０」)となって「筆記モード」または「参照モード」が設定されたが、動作制御部６１６が第２表示部ＤＳＰ２と出力端子ＣＮＴＡとが接続されたことを検知しない場合には、第１表示部ＤＳＰ１の発光部ＬＥＤ１１,ＬＥＤ１２を例えば赤色で速く点滅させる警告表示を行うように設定してもよい。それにより、ユーザにキャップ部６０Ｂをペン本体部６０Ａの後端部側に装着することを促す。
【００７３】
次の図１２は、デジタルペン６０の制御/処理部６１のハードウェア構成を示した図である。
図１２に示したように、制御/処理部６１は、デジタルペン６０の動作制御および信号処理を行うに際して予め定められたプログラム(ファームウェア)に従ってデジタル演算処理を実行するＣＰＵ１０１、ＣＰＵ１０１により実行される処理プログラム等が格納されるＲＡＭ１０２、ＣＰＵ１０１により実行される処理プログラム等にて用いられる設定値等のデータが格納されるＲＯＭ１０３、書き換え可能で電源供給が途絶えた場合にもデータを保持できるＥＥＲＯＭやフラッシュメモリ等の不揮発性メモリ１０４、制御/処理部６１に接続される各部との信号の入出力を制御するインターフェース部１０５を備えている。
また、外部記憶装置１０６には、制御/処理部６１により実行されるプログラムが格納されており、制御/処理部６１がこのプログラムを読み込むことによって、デジタルペン６０での動作制御および信号処理が実行される。
【００７４】
すなわち、上記した画像処理部６１１、データ処理部６１２、出力部６１３、動作制御部６１６の各機能を実現するプログラムを外部記憶装置１０６から制御/処理部６１内のＲＡＭ１０２に読み込む。そして、ＲＡＭ１０２に読み込まれたプログラムに基づいて、ＣＰＵ１０１が各種処理を行う。このプログラムは、デジタルペン６０と通信する例えば端末装置５０に備えられたハードディスクやＤＶＤ−ＲＯＭ等がデジタルペン６０の外部記憶装置１０６として機能して、端末装置５０から通信回線を介してＲＡＭ１０２にロードされて提供される。また、その他の提供形態として、予めＲＯＭ１０３にインストールされた状態にて提供される形態がある。さらに、デジタルペン６０がアッセンブリされた後に、プログラムが不揮発性メモリ１０４にインストールされ、不揮発性メモリ１０４からＲＡＭ１０２にロードされる形態がある。また、インターネット等のネットワークを介してデジタルペン６０にプログラムが伝送され、ＲＡＭ１０２にインストールされる形態がある。
【００７５】
さらに、本実施の形態の筆跡情報管理システムにて電子文書に関して行われる各種処理について説明しておく。
[印刷文書の生成処理]
図１３は、筆跡情報管理システムにて印刷文書が生成される際の動作の一例を示したシーケンス図である。
まず、ユーザは端末装置１０から電子文書の印刷指示を文書サーバ２０に送信する(ステップ１０１)。その際には、端末装置１０は、印刷対象となる電子文書と、電子文書の識別情報(文書ＩＤ)と、ユーザが指定した印刷設定とを送信する。ここで、印刷設定は、印刷の対象とするページ、印刷部数、媒体である用紙のサイズ、拡大縮小率、Ｎアップ (電子文書のＮページを媒体の１ページに割り付ける印刷)、余白領域の大きさ等の設定を含む。
【００７６】
文書サーバ２０は、端末装置１０から電子文書の印刷指示を受信する(ステップ２０１)。印刷指示に含まれる印刷対象となる電子文書は、電子文書管理部２３に送られ、電子文書管理部２３が、電子文書を文書ＩＤと関連付けて文書/筆跡情報記憶部２５に登録する(ステップ２０２)。
また、文書サーバ２０は、印刷を指示された電子文書の文書ＩＤと印刷設定とを識別情報サーバ３０に送信する(ステップ２０３)。ここで、文書ＩＤとしては、例えば、ＵＲＬ(Uniform Resource Locator)を用いるとよいが、電子文書を一意に特定することができるものであれば他の情報を用いてもよい。
それにより、識別情報サーバ３０は、文書ＩＤと印刷設定とを受信する(ステップ３０１)。そして、媒体識別情報を管理する識別情報管理部３２が識別情報記憶部３３から未使用の媒体識別情報を取得する(ステップ３０２)。ここで、取り出す媒体識別情報の数は、印刷設定に応じて決められる。つまり、基本的には、印刷するページ数に印刷部数を乗じて得られる数の媒体識別情報が取り出される。ただし、印刷設定情報の中に、Ｎアップ印刷の指定等がある場合は、それも考慮される。例えば、１０ページの電子文書を２アップ印刷で５部印刷する場合は、２５(＝１０÷２×５)個の媒体識別情報が取り出される。
次に、識別情報サーバ３０は、識別情報と文書ＩＤと印刷設定とを関連付けて識別情報記憶部３３に登録する(ステップ３０３)。そして、識別情報サーバ３０は、文書サーバ２０に対し、識別情報を送信する(ステップ３０４)。
【００７７】
それにより、文書サーバ２０は、識別情報を受信する(ステップ２０４)。そして、識別情報および位置情報を表す符号画像を生成する(ステップ２０５)。
すなわち、文書サーバ２０では、受信部２１が媒体識別情報を受信する。そして、受信部２１は、受信した媒体識別情報を識別情報取得部２２に受け渡す。すると、まず識別情報取得部２２が、取得した媒体識別情報を識別符号生成部２７ａに渡し、識別符号生成部２７ａが、上記した方法を用いて媒体の識別情報を符号化し、識別符号を生成する。
また、位置符号生成部２７ｂは、受信部２１から印刷設定を受け取り、印刷設定に応じた範囲の位置情報を上記した方法を用いて符号化し、位置符号を生成する。
そして、符号配置部２７ｃが、媒体識別符号と位置符号とを所定のレイアウトに従って配置し、これを符号画像生成部２７ｅが、パターン画像記憶部２７ｄに記憶されたパターン画像を用いて画像化することで符号画像を生成する。
【００７８】
その後、文書サーバ２０では、文書画像生成部２６が、電子文書の文書画像を生成する(ステップ２０６)。その際に、文書画像生成部２６は、ステップ２０１で識別情報取得部２２が取得した文書ＩＤを受け取り、文書ＩＤに基づいて印刷対象となる電子文書を文書/筆跡情報記憶部２５から読み出す。また、ステップ２０１で識別情報取得部２２が取得した印刷設定を受け取り、これに基づいて文書画像を生成する。
そして、画像合成部２８は、ステップ２０５で生成された符号画像と、ステップ２０６で生成された文書画像とを合成し、合成画像を生成する(ステップ２０７)。
その後、合成画像は送信部２９に渡され、送信部２９が、合成画像の印刷命令を画像形成装置４０に送信する(ステップ２０８)。ここで、合成画像の印刷命令は、例えば、文書画像の印刷命令の列からなるＰＤＬ(Page Description Language)ファイルに対し、符号画像として印刷する内容をＰＤＬコマンドとして設定したＰＤＬの形式で送信される。
【００７９】
画像形成装置４０は、文書サーバ２０から合成画像(電子文書の文書画像および符号画像)を受信する(ステップ４０１)。そして、画像形成装置４０は、文書画像をＹ(イエロー)、Ｍ(マゼンタ)、Ｃ(シアン) により画像に展開する(ステップ４０２)。次に、文書画像はＣ、Ｍ、Ｙのトナーを用いて、符号画像はＫ(カーボンを含む黒)のトナーを用いて、それぞれ画像形成を行う(ステップ４０３)。
【００８０】
ところで、上述した例では、識別情報サーバ３０は識別情報を発行するだけで、文書サーバ２０が、識別情報を含む符号画像を生成し、画像形成装置４０に画像形成を指示する構成とした。しかしながら、識別情報サーバ３０が、符号画像を生成し、画像形成装置４０に画像形成を指示する構成としてもよい。
また、符号画像を画像形成装置４０で生成する構成を採用してもよい。その場合には、文書サーバ２０または識別情報サーバ３０が、電子文書から生成したＰＤＬに識別情報を付加して画像形成装置４０へ送信し、画像形成装置４０が識別情報を含む符号画像を生成することになる。
【００８１】
また、上記の例では、識別情報と文書ＩＤと印刷設定とが関連付けられて構成されたデータベース(識別情報記憶部３３)を識別情報サーバ３０に置く構成について説明した。これは、かかるデータベースを共有可能な装置(識別情報サーバ３０)に置くことで、複数ユーザへの対応や、サーバのアクセス制御技術を利用した電子文書のセキュリティ確保が可能となるからである。しかしながら、必ずしもこのような構成を採用する必要はなく、端末装置１０や文書サーバ２０に上記のデータベースを置く構成を採用してもよい。
【００８２】
また、上記した画像形成装置４０では、符号画像をＫ(カーボンを含む黒) のトナーを用いて形成するようにした。これは、Ｋのトナーが、Ｃ(シアン)、Ｍ(マゼンタ)、Ｙ(イエロー)のトナーよりも赤外光の吸収量が多く、デジタルペン６０での符号画像の読み取りが容易となるからである。しかしながら、符号画像は、特殊トナーを用いて形成することも可能である。
ここで、特殊トナーとしては、可視光領域(４００ｎｍ〜７００ｎｍ)における最大吸収率が７％以下であり、近赤外領域(８００ｎｍ〜１０００ｎｍ)における吸収率が３０％以上の不可視トナーが例示される。ここで、「可視」および「不可視」は、目視により認識できるかどうかとは関係しない。印刷文書における画像が可視光領域における特定の波長の吸収に起因する発色性の有無により認識できるかどうかで「可視」と「不可視」とを区別している。また、可視光領域における特定の波長の吸収に起因する発色性が若干あるが人間の目で認識し難いものも、「不可視」に含める。
【００８３】
なお、ここでは、電子文書の画像に符号画像を合成して印刷することとしたが、白紙(ノートや付箋等)に符号画像を印刷する構成としてもよい。その場合は、ステップ２０１で受信する印刷要求に文書ＩＤを含めないようにし、ステップ３０３で識別情報と文書ＩＤおよび印刷設定との関連付けを行わないようにし、ステップ２０６における文書画像の生成は実行しないようにすればよい。
【００８４】
[筆跡情報の登録処理]
次に、デジタルペン６０が筆跡情報を生成して文書サーバ２０に登録する際の動作について説明する。
上記したように、デジタルペン６０では、識別情報取得部６１２ｂが識別情報を取得する。また、位置情報取得部６１２ｃが位置情報を取得する。さらに、筆跡情報生成部６１２ｄが位置情報を相互に連結して筆跡情報を生成する。そして、通信部６６が、識別情報および筆跡情報を端末装置５０を介して識別情報サーバ３０へ送信する。そして、識別情報サーバ３０が筆跡情報を文書サーバ２０に登録する。
図１４は、筆跡情報を登録する際の識別情報サーバ３０および文書サーバ２０の動作の一例を示したシーケンス図である。
識別情報サーバ３０では、まず、受信部３１が、デジタルペン６０からの識別情報および筆跡情報を受信する(ステップ３１１)。次に、識別情報および筆跡情報は識別情報管理部３２に渡され、識別情報管理部３２は、渡された識別情報に関連付けられた文書ＩＤを識別情報記憶部３３から取り出す。そして、ステップ３１１で受信した識別情報および筆跡情報の送信先となる文書サーバ２０(文書ＩＤで特定される電子文書が存在する文書サーバ２０)を決定する(ステップ３１２)。なお、識別情報記憶部３３において識別情報に文書ＩＤが関連付けられていなければ、その識別情報は白紙(ノートや付箋)に割り当てられたものであると考えられる。その場合は、白紙に対する筆跡情報を管理する文書サーバ２０を送信先として決定すればよい。
その後、識別情報および筆跡情報は送信部３９に渡され、送信部３９が、ステップ３１２で送信先として決定した文書サーバ２０に対し、識別情報および筆跡情報を送信する(ステップ３１３)。
【００８５】
これにより、文書サーバ２０では、受信部２１が、識別情報および筆跡情報を受信する(ステップ２１１)。そして、受信部２１は、受信した識別情報を筆跡情報管理部２４に渡す。すると、筆跡情報管理部２４は、識別情報と筆跡情報とを対応付けて文書/筆跡情報記憶部２５に記憶する(ステップ２１２)。
【００８６】
以上説明したように、本実施の形態の筆跡情報管理システムに用いるデジタルペン６０では、キャップ部６０Ｂがペン本体部６０Ａの後端部側に装着された状態では、デジタルペン６０に設定される動作状態の種類の数が多いため、ペン本体部６０Ａに配置された第１表示部ＤＳＰ１およびキャップ部６０Ｂに配置された第２表示部ＤＳＰ２の双方を用いてデジタルペン６０の状態を表示する第１の表示モードを設定する。その一方で、キャップ部６０Ｂがペン本体部６０Ａの先端部側に装着された場合には、デジタルペン６０に設定される動作状態の種類の数が少ないため、ペン本体部６０Ａに配置された第１表示部ＤＳＰ１だけを用いてデジタルペン６０の状態を表示する第２の表示モードを設定する。
それにより、外表面の面積が少ないデジタルペン６０において、小さな面積領域を効率的に利用して、デジタルペン６０に設定される動作状態が表示される。また、ペン本体部６０Ａ内部での各機能部の実装に余裕が生じ、デジタルペン６０の小型化が図られる。さらに、表示するデジタルペン６０の状態の種類が少ない場合には、少ない発光部だけで表示を行うことので、デジタルペン６０での消費電力が低減される。また、キャップ部６０Ｂがペン本体部６０Ａの後端部側に装着された場合に、ユーザの目の位置に近い位置にあるキャップ部６０Ｂにおいても表示を行うので、デジタルペン６０の状態が把握し易い構成を実現している。
【図面の簡単な説明】
【００８７】
【図１】本実施の形態の筆跡情報管理システムの構成の一例を示した図である。
【図２】文書サーバの機能構成の一例を示したブロック図である。
【図３】符号画像を構成する画像等の一例を示した図である。
【図４】識別情報サーバの機能構成の一例を示したブロック図である。
【図５】デジタルペンの全体構成図である。
【図６】デジタルペンの内部構成を説明する概略図である。
【図７】キャップ部がペン本体部の後端部に装着され、キャップ部側の第２表示部とペン本体部側の出力端子とが接続された状態を示した図である。
【図８】キャップ部がペン本体部の後端部に装着される際の突出自在な入力端子と凹部に設けられた出力端子との接続を説明する図である。
【図９】制御/処理部の機能構成の一例を示したブロック図である。
【図１０】各スイッチのオン/オフ状態と動作モードとの関係の一例を示した図である。
【図１１】(ａ)第１の表示モードが設定された場合の表示形態の一例を示した図であり、(ｂ)第２の表示モードが設定された場合の表示形態の一例を示した図である。
【図１２】デジタルペンの制御/処理部のハードウェア構成を示した図である。
【図１３】筆跡情報管理システムにて印刷文書が生成される際の動作の一例を示したシーケンス図である。
【図１４】筆跡情報を登録する際の識別情報サーバおよび文書サーバの動作の一例を示したシーケンス図である。
【符号の説明】
【００８８】
１０…端末装置、２０…文書サーバ、２５…文書/筆跡情報記憶部、３０…識別情報サーバ、４０…画像形成装置、５０…端末装置、６０…デジタルペン、６０Ａ…ペン本体部、６０Ｂ…キャップ部、６１…制御/処理部、６５…情報メモリ、６６…通信部、６１１…画像処理部、６１２…データ処理部、６１３…出力部、６１６…動作制御部、ＳＷ１…キャップスイッチ、ＳＷ２…筆圧検知スイッチ、ＳＷ３…ユーザスイッチ、ＳＷ４…エキストラスイッチ、ＤＳＰ１…第１表示部、ＤＳＰ２…第２表示部、ＣＮＴＢ…入力端子、ＣＮＴＡ…出力端子、ＬＥＤ１１,ＬＥＤ１２,ＬＥＤ２１,ＬＥＤ２２,ＬＥＤ２３…発光部
【図１】
2009237769.tif 000003
【図２】
2009237769.tif 000004
【図３】
2009237769.tif 000005
【図４】
2009237769.tif 000006
【図５】
2009237769.tif 000007
【図６】
2009237769.tif 000008
【図７】
2009237769.tif 000009
【図８】
2009237769.tif 000010
【図９】
2009237769.tif 000011
【図１０】
2009237769.tif 000012
【図１１】
2009237769.tif 000013
【図１２】
2009237769.tif 000014
【図１３】
2009237769.tif 000015
【図１４】
2009237769.tif 000016